(57)【要約】【課題】半導体装置の信頼性の向上を図る。【解決手段】伸び易い第１テープ５ａと、第１テープ５ａ上に設けられた伸びにくい第２テープ５ｂとを有するダイシングテープ５上に半導体ウエハを搭載し、その後、ダイシングテープ５上で前記半導体ウエハの外側周囲にリング状治具６を搭載し、さらに前記半導体ウエハをダイシングした後、ダイシングテープ５を外周から引き伸ばしてチップ間隔を広げる。これにより、ダイシングテープ５の前記半導体ウエハの下部が伸び易く、かつその外側周囲に伸びにくい領域が形成された状態でダイシングテープ５を外周から引き伸ばすため、ダイシングテープ５を引き伸ばす力が前記半導体ウエハが搭載された第１テープ５ａの領域に伝わり、各チップ形成領域の間隔を十分に広げてピックアップを行うことができる。【選択図】図７
2007250598.tif 000002
【特許請求の範囲】
【請求項１】
（ａ）第１の伸張率を有する第１テープと、前記第１の伸張率より低い第２の伸張率を有し、かつ前記第１テープ上に設けられた第２テープとを有するダイシングテープを準備する工程と、
（ｂ）前記ダイシングテープ上に接着層を介して半導体ウエハを搭載する工程と、
（ｃ）前記ダイシングテープ上で、かつ前記半導体ウエハの外側周囲に治具を搭載する工程と、
（ｄ）前記半導体ウエハをダイシングする工程と、
（ｅ）前記ダイシングテープを外周から引き伸ばしてチップ間隔を広げる工程とを有することを特徴とする半導体装置の製造方法。
【請求項２】
請求項１記載の半導体装置の製造方法において、前記第２テープに開口部が形成されており、前記半導体ウエハを前記第２テープの開口部内に配置して前記第１テープと接合することを特徴とする半導体装置の製造方法。
【請求項３】
請求項２記載の半導体装置の製造方法において、前記治具はリング状であり、前記治具の開口部の直径は、前記第２テープの開口部の直径より大きいことを特徴とする半導体装置の製造方法。
【請求項４】
請求項１記載の半導体装置の製造方法において、前記第２テープ上に前記半導体ウエハが搭載されており、前記第２テープの前記半導体ウエハの搭載領域に複数の切れ目が形成されていることを特徴とする半導体装置の製造方法。
【請求項５】
請求項４記載の半導体装置の製造方法において、前記切れ目が格子状に形成されていることを特徴とする半導体装置の製造方法。
【請求項６】
請求項１記載の半導体装置の製造方法において、前記接着層がＤＡＦであり、前記半導
体ウエハの裏面に前記ＤＡＦが配置されていることを特徴とする半導体装置の製造方法。
【請求項７】
請求項１記載の半導体装置の製造方法において、前記（ｄ）工程で、前記半導体ウエハのスクライブエリアにレーザを照射し、前記レーザによって前記半導体ウエハをダイシングすることを特徴とする半導体装置の製造方法。
【請求項８】
請求項１記載の半導体装置の製造方法において、前記治具の内周面と前記半導体ウエハの端部との間に隙間が形成されていることを特徴とする半導体装置の製造方法。
【請求項９】
請求項８記載の半導体装置の製造方法において、前記隙間は、２０ｍｍ以上であることを特徴とする半導体装置の製造方法。
【請求項１０】
請求項９記載の半導体装置の製造方法において、前記治具の内周面と前記半導体ウエハの端部との距離は、前記第２テープの内側端部と前記半導体ウエハの端部との距離より長いことを特徴とする半導体装置の製造方法。
【請求項１１】
請求項１記載の半導体装置の製造方法において、前記（ｅ）工程で、常温の雰囲気で前記ダイシングテープを外周から引き伸ばすことを特徴とする半導体装置の製造方法。
【請求項１２】
請求項１記載の半導体装置の製造方法において、前記第１テープ及び第２テープは樹脂によって形成され、前記治具は金属によって形成されていることを特徴とする半導体装置の製造方法。
【請求項１３】
請求項１記載の半導体装置の製造方法において、前記第１テープは、ポリオレフィンによって形成され、前記第２テープは、他のポリオレフィンまたはポリエチレンテレフタレートによって形成されていることを特徴とする半導体装置の製造方法。
【請求項１４】
請求項１記載の半導体装置の製造方法において、前記（ｅ）工程の後、
（ｆ）個片化された半導体チップを前記ダイシングテープからピックアップする工程と、
（ｇ）前記ピックアップされた半導体チップを基板上に搭載する工程と、
（ｈ）前記半導体チップの電極と前記基板の電極とを導電性のワイヤで接続する工程と、
（ｉ）前記半導体チップと前記ワイヤを樹脂封止する工程とを有することを特徴とする半導体装置の製造方法。
【請求項１５】
請求項１４記載の半導体装置の製造方法において、前記（ｇ）工程で、前記基板上に複数の半導体チップを積層して搭載することを特徴とする半導体装置の製造方法。
【発明の詳細な説明】
【技術分野】
【０００１】
本発明は、半導体装置の製造技術に関し、特に、ダイシングテープを用いる半導体装置の製造方法に適用して有効な技術に関する。
【背景技術】
【０００２】
表面側に保護シートが貼付され、裏面が研削されて極薄に加工されたウェーハを、裏面側を上にして第１の粘着シートを介してリング状の第１のフレームにマウントし、この状態でウェーハを裏面からダイシングする工程と、ダイシングされたウェーハを表裏逆にして、第２の粘着シートを介してリング状の第２のフレームに貼り替える工程とを有するようにした技術がある（例えば、特許文献１参照）。
【特許文献１】特開２００５−２２８７９４号公報（図１）
【発明の開示】
【発明が解決しようとする課題】
【０００３】
半導体装置の製造工程のダイシング工程では、半導体ウエハ（以降、ウエハともいう）の主面のスクライブエリアと呼ばれる格子状の領域に沿ってウエハを切断し、半導体チップを形成している。その際、ウエハの切断にはダイシングブレードと呼ばれる円盤状の切断工具が使用されている。ダイシングブレードによってウエハを個片化（分割）し、個片化後は、ウエハを保持しているダイシングテープを外周方向に引き延ばすエキスパンド方式（エキスパンド工程）により、各チップ同士の間隔を広げてからチップのピックアップを行っている。
【０００４】
しかしながら、近年の半導体ウエハの薄型化に伴って、ブレードダイシング方式から、レーザダイシング方式を採用した技術が知られており、前記特許文献１（特開２００５−２２８７９４号公報）にもレーザダイシング方式が開示されている。
【０００５】
なお、ダイシング工程やエキスパンド工程では、ウエハがマウントされたダイシングテープにおいてウエハの外側周囲にリング状治具が搭載されたものを使用している。リング状治具自体は、ダイシングブレードとの干渉を避けるため、寸法が規格に基づいて設計されており、ウエハの周縁部（端部）とリング状治具との距離に、例えば２５ｍｍ程度の余裕を持たせている。
【０００６】
そのため、レーザダイシング方式を個片化手段として適用しても、ウエハは、ウエハの周縁部とリング状治具との間に２５ｍｍ程度の間隔を有した状態でダイシングテープに固定される。この結果、個片化後のエキスパンド工程の際、ダイシングテープを外周から引き伸ばす力が、ウエハが搭載されている領域に伝わりにくく、各チップ形成領域の間隔を十分に広げることが困難であり、このことが問題となる。
【０００７】
また、近年では半導体ウエハの薄型化に伴い、分割された薄型の半導体チップを、ペースト材を介して実装すると、半導体チップが薄いためペースト材がチップの主面に這い上がり易くなる。その場合、半導体装置の高密度化に対応して半導体チップを多段に積層する構造においては、１段目に実装した半導体チップの主面上に形成されたペースト材により平坦性が低くなり、２段目の半導体チップの積層不良となる。
【０００８】
そこで、半導体チップの裏面にフィルム状に形成されダイボンド材であるＤＡＦ（Die Attach Film)を貼り付け、ＤＡＦを介して半導体チップを実装する技術が知られている。しかしながら、ＤＡＦは伸張性（伸張率、伸縮率）が高いと、ＤＡＦの分割性は悪くなる傾向にあるため、比較的高い伸張性をもつＤＡＦはレーザダイシングには使用することが困難である。そこで、半導体チップの裏面に貼り付けるＤＡＦは、分割性を考慮して低い伸張性のものが好ましい。
【０００９】
しかしながら、レーザによる切削幅は数ミクロン程度であり、エキスパンド工程において各チップ形成領域の間隔を、ブレードを使用するブレードダイシング方式の場合とほぼ同じ位に広げることが困難である。そのため、低い伸張性のＤＡＦを使用すると、各チップ形成領域の間隔を十分に広げることが困難となり、このことが問題となる。
【００１０】
また、各チップ形成領域の間隔が十分に広がっていないと、チップをピックアップする際、ピックアップされるチップと隣接するチップとが接触し、チップクラックが生じる可能性がある。これは、ブレードダイシング方式の場合、エキスパンドする前にブレード幅の分だけ各チップ形成領域間に隙間が形成されているため、伸張率が低くても、隣り合うチップ同士が接触する問題は生じ難かった。
【００１１】
しかしながら、レーザダイシング方式の場合、レーザ照射により半導体ウエハの内部に破砕層を形成するが、エキスパンドするまでは各チップ形成領域は分離していない、すなわち接触した状態となっているため、エキスパンド工程において隣り合うチップ同士の間隔を十分に広げないとピックアップ時にチップ同士が接触してチップクラックに至ることが問題となる。
【００１２】
そこで、本発明の目的は、半導体装置の信頼性の向上を図ることができる技術を提供することにある。
【００１３】
また、本発明の他の目的は、半導体チップの取得数の増加を図ることができる技術を提供することにある。
【００１４】
本発明の前記ならびにその他の目的と新規な特徴は、本明細書の記述および添付図面から明らかになるであろう。
【課題を解決するための手段】
【００１５】
本願において開示される発明のうち、代表的なものの概要を簡単に説明すれば、以下のとおりである。
【００１６】
すなわち、本発明は、第１の伸張率を有する第１テープと、第１の伸張率より低い第２の伸張率を有し、かつ第１テープ上に設けられた第２テープとを有するダイシングテープ上に半導体ウエハを搭載し、ダイシングテープ上で半導体ウエハの外側周囲に治具を搭載し、半導体ウエハをダイシングし、ダイシングテープを外周から引き伸ばしてチップ間隔を広げるものである。
【発明の効果】
【００１７】
本願において開示される発明のうち、代表的なものによって得られる効果を簡単に説明すれば、以下のとおりである。
【００１８】
ダイシング後のエキスパンドの際、ダイシングテープの半導体ウエハの下部が第１の伸張率の第１テープの領域であり、かつその外側周囲に第１の伸張率より低い第２の伸張率の第２テープが配置された状態でダイシングテープを引き伸ばすため、ダイシングテープを引き伸ばす力が半導体ウエハが搭載された第１テープの領域に伝わり、各チップ形成領域の間隔を十分に広げることができる。その結果、半導体チップをピックアップする際の隣り合ったチップ同士の干渉を低減することができ、半導体装置の信頼性の向上を図ることができる。
【発明を実施するための最良の形態】
【００１９】
以下の実施の形態では特に必要なとき以外は同一または同様な部分の説明を原則として繰り返さない。
【００２０】
さらに、以下の実施の形態では便宜上その必要があるときは、複数のセクションまたは実施の形態に分割して説明するが、特に明示した場合を除き、それらはお互いに無関係なものではなく、一方は他方の一部または全部の変形例、詳細、補足説明などの関係にある。
【００２１】
また、以下の実施の形態において、要素の数など（個数、数値、量、範囲などを含む）に言及する場合、特に明示した場合および原理的に明らかに特定の数に限定される場合などを除き、その特定の数に限定されるものではなく、特定の数以上でも以下でも良いものとする。
【００２２】
以下、本発明の実施の形態を図面に基づいて詳細に説明する。なお、実施の形態を説明するための全図において、同一の機能を有する部材には同一の符号を付し、その繰り返しの説明は省略する。
【００２３】
（実施の形態１）
図１は本発明の実施の形態１の半導体装置の製造方法で用いられるダイシングテープの形成方法の一例を示す製造プロセスフロー図、図２は図１に示すダイシングテープに治具を貼り付けた構造の一例を示す断面図、図３は図２に示す治具付きダイシングテープの構造の一例を示す平面図、図４は本実施の形態１の半導体装置の製造方法における裏面研磨までの組み立ての一例を示す断面図である。さらに、図５は本実施の形態１の半導体装置の製造方法におけるウエハマウントまでの一例を示す断面図、図６は本実施の形態１の半導体装置の製造方法における保護テープ剥離までの一例を示す断面図、図７は本実施の形態１の半導体装置の製造方法におけるピックアップまでの一例を示す断面図、図８は本実施の形態１の半導体装置の製造方法におけるレーザダイシング後の構造の一例を示す平面図である。また、図９は本実施の形態１の半導体装置の製造方法におけるエキスパンド後の構造の一例を示す平面図、図１０は本実施の形態１の半導体装置の製造方法で用いられるピックアップ装置の構造の一例を示す斜視図、図１１は本実施の形態１の半導体装置の製造方法におけるダイボンディング方法の一例を示す斜視図である。さらに、図１２は本実施の形態１の半導体装置の製造方法における２段目チップのダイボンディング方法の一例を示す断面図、図１３は本実施の形態１の半導体装置の製造方法におけるワイヤボンディング後の構造の一例を示す断面図、図１４は本実施の形態１の半導体装置の製造方法における樹脂封止及びバンプ形成後の構造の一例を示す断面図である。
【００２４】
本実施の形態１の半導体装置の製造方法は、例えば、チップ厚が５０μｍ以下の薄型の半導体チップが搭載される半導体装置の組み立てに関するものである。
【００２５】
まず、本実施の形態１の半導体装置の組み立て工程のエキスパンド工程やダイボンディング工程で用いられるダイシングテープ５の構造及び製造方法について説明する。
【００２６】
図１に示すように、本実施の形態１のダイシングテープ５は、第１の伸張率（弾性率）を有する第１テープ５ａと、前記第１の伸張率より低い第２の伸張率（弾性率）を有し、かつ第１テープ５ａ上に設けられた第２テープ５ｂとを備えた２層構造のものである。
【００２７】
すなわち、伸縮性が高くて伸び易い第１テープ５ａと、伸縮性が低くて伸びにくい第２テープ５ｂとからなり、第１テープ５ａの上に第２テープ５ｂが配置された２層構造となっている。
【００２８】
なお、第１テープ５ａは、例えば、ポリオレフィン（ＰＯ）等の樹脂によって形成され、その伸張率は、例えば、５０％〜２００％である。
【００２９】
一方、第２テープ５ｂは、例えば、伸張率２０％程度のポリオレフィン（他のポリオレフィン）あるいはポリエチレンテレフタレート（ＰＥＴ）等によって形成されている。したがって、第２テープ５ｂより第１テープ５ａの方が伸張率は高く、伸縮し易い。第２テープ５ｂは、第１テープ５ａに比べて伸びにくいテープである。
【００３０】
尚、伸張率の定義として、対象物を引き伸ばした際、その対象物が引き伸ばす基準の状態からどの位伸びたのかをパーセンテージで表す。例えば伸張率が０％の場合、エキスパンドを施しても、全く伸縮しないことを意味する。すなわち、この値が大きいほどテープが伸び易いことを示し、この値が低いほどテープが伸び難いことを示す。また、ポリオレフィン（ＰＯ）の場合、用途に応じてその伸張率を制御することができるため、ポリ塩化ビニル（ＰＶＣ）よりも伸張率を高いテープを製造することも可能である。しかしながら、ポリエチレンテレフタレート（ＰＥＴ）よりもその伸張率を低減することは材質上困難であるため、第２テープ５ｂの材料としては、伸縮性が低いポリエチレンテレフタレート（ＰＥＴ）を使用することが好ましい。
【００３１】
また、第２テープ５ｂは、第１テープ５ａ上に接着剤５ｄを介して接合されており、さらに、第２テープ５ｂの表面には治具接合用の接着剤５ｄが設けられている。すなわち、第２テープ５ｂの表裏両面に接着剤５ｄが設けられている。ただし、第１テープ５ａと第２テープ５ｂの間に配置された接着剤５ｄは、必ずしも設けられていなくてもよい。つまり、第１テープ５ａと第２テープ５ｂが同属の樹脂によって形成されている場合、同属の樹脂同士は分子間接続等で接続することも可能であるため、その場合には第１テープ５ａと第２テープ５ｂの間の接着剤５ｄは、無くてもよい。
【００３２】
また、第２テープ５ｂには、その中央部に円形の開口部５ｃが形成されており、図２に示すように、この開口部５ｃに半導体ウエハ１Ｗが配置され、図５に示すように半導体ウエハ１Ｗの裏面１Ｗｂとダイシングテープ５の第１テープ５ａとが接合される。すなわち、半導体ウエハ１Ｗは、伸縮し易い第１テープ５ａと接合し、半導体ウエハ１Ｗの外側周囲には第１テープ５ａと接合し、かつ伸びにくい第２テープ５ｂが配置される。
【００３３】
なお、第２テープ５ｂの開口部５ｃにおいて、半導体ウエハ１Ｗは接着層を介して第１テープ５ａと接合する。したがって、第１テープ５ａにおける第２テープ５ｂの開口部５ｃに露出した領域には、例えば、接着層であるＤＡＦ（Die Attach Film)４が貼り付けられている。ＤＡＦ４は、フィルム状に形成されダイボンド材である。
【００３４】
したがって、第２テープ５ｂの開口部５ｃの大きさは、図２に示すように、ＤＡＦ４を貼り付ける際の位置ずれ、及び半導体ウエハ１Ｗをマウントする際の位置ずれを考慮してそれぞれに余裕を持たせて形成されていることが好ましい。例えば、半導体ウエハ１Ｗの直径（Ｌ）が３００ｍｍの場合、ＤＡＦ４の直径（Ｍ）は、約３２０ｍｍであり、ＤＡＦ４を貼り付ける際の位置ずれと半導体ウエハ１Ｗをマウントする際の位置ずれをそれぞれ考慮すると、第２テープ５ｂの開口部５ｃの直径（Ｍ＋Ｃ＋Ｃ）は、３２５〜３３０ｍｍである。すなわち、ＤＡＦ４の直径（Ｍ）より、５〜１０ｍｍ程度直径が大きい開口部５ｃとすることが好ましい。
【００３５】
次に、本実施の形態１のダイシングテープ５の製造方法について説明する。
【００３６】
まず、図１のステップＳ１に示すＤＡＦ材準備を行う。ここでは、基材３にＤＡＦ４が貼り付けられたＤＡＦ材を準備する。
【００３７】
その後、ステップＳ２に示す第１／第２テープ貼り付けを行う。すなわち、伸縮性が高くて伸び易い第１の伸張率を有する第１テープ５ａと、第1テープ５ａよりも伸縮性が低くて伸びにくい第２の伸張率を有する第２テープ５ｂを準備し、第１テープ５ａの上に、表裏両面に接着剤５ｄが設けられた第２テープ５ｂを接着剤５ｄを介して貼り付ける。これにより、第２テープ５ｂの表面には接着剤５ｄが露出した状態となる。
【００３８】
その後、ステップＳ３に示すテープ打ち抜きを行う。ここでは、打ち抜きによって第２テープ５ｂのみに開口部５ｃを形成する。開口部５ｃは、ＤＡＦ４を貼り付ける際の位置ずれ、及び半導体ウエハ１Ｗをマウントする際の位置ずれを考慮してそれぞれに余裕を持たせた大きさに形成することが好ましい。
【００３９】
その後、ステップＳ４に示すＤＡＦ材貼り付けを行う。ここでは、基材３に貼り付けられた状態のＤＡＦ４を第２テープ５ｂの開口部５ｃ内に配置し、ＤＡＦ４を開口部５ｃ内の第１テープ５ａに貼り付ける。
【００４０】
その後、ステップＳ５に示す基材除去を行う。ここでは、第１テープ５ａ上に貼り付けられたＤＡＦ４から基材３を剥がしてダイシングテープ５の製造を完了する。
【００４１】
次に、本実施の形態１の半導体装置の製造方法について説明する。ここでは、図１４に示すようなチップ積層型のＣＳＰ（Chip Size Package)２４を一例として取り上げて説明する。なお、ＣＳＰ２４では、パッケージの薄型を図るために薄型の半導体チップ１Ｃ，１８Ｃをパッケージ内に積層する場合を説明する。
【００４２】
まず、図１に示すように、第１の伸張率を有しており、伸縮性が高くて伸び易い第１テープ５ａと、前記第１の伸張率より低い第２の伸張率を有しており、伸縮性が低くて伸びにくく第１テープ５ａ上に貼り付けられた第２テープ５ｂとからなるダイシングテープ５を準備する。なお、第２テープ５ｂの中央部には半導体ウエハ１Ｗより僅かに大きい程度の開口部５ｃが形成されており、この開口部５ｃには、半導体ウエハ１Ｗに対応した大きさ・形状のＤＡＦ４が貼り付けられている。
【００４３】
その後、図２に示すように、ダイシングテープ５へのリング状治具６の貼り付けを行う。ここでは、リング状治具６をダイシングテープ５の第２テープ５ｂ上に接着剤５ｄを介して貼り付ける。リング状治具６は、図３に示すように、第２テープ５ｂの周縁部に沿った形状に形成されている。
【００４４】
なお、リング状治具６は、例えば、ＳＵＳ（ステンレス鋼）等の金属によって形成されていることが好ましい。さらに、リング状治具６の中央の開口部６ａの直径は、第２テープ５ｂの開口部５ｃの直径より大きく形成されている。例えば、図２に示すように直径３００ｍｍの半導体ウエハ１Ｗを搭載した際のリング状治具６の内周面と半導体ウエハ１Ｗの端部との間の隙間９の間隔が、２０ｍｍ以上となるように開口部６ａが形成されていることが好ましい。
【００４５】
この場合、例えばリング状治具６の内周面と直径３００ｍｍの半導体ウエハ１Ｗの端部との距離（Ｂ）は、２０〜２５ｍｍであり、第２テープ５ｂの内側端部と半導体ウエハ１Ｗの端部（Ａ）は、１2.５〜１５ｍｍであり、（Ｂ）＞（Ａ）の関係となる。
【００４６】
すなわち、ダイシングテープ５の第２テープ５ｂの開口部５ｃ内に半導体ウエハ１Ｗを配置して第１テープ５ａと接合させた際に、半導体ウエハ１Ｗが接合している領域は、伸縮性が高くて伸び易い第１テープ５ａのみの領域となり、その外側周囲は、伸縮性が低くて伸びにくい第２テープ５ｂと第１テープ５ａとが接続された領域となる。したがって、ダイシングテープ５に半導体ウエハ１Ｗを搭載した際には、半導体ウエハ１Ｗが接合しているテープ領域は伸び易く、その外側周囲は伸びにくいテープ領域となる。
【００４７】
次に、図４のステップＳ１１に示すガラス基板への貼り付けを行う。ここでは、裏面研磨前の半導体ウエハ１Ｗをガラス基板１３に貼り付ける。すなわち、半導体ウエハ１Ｗの主面１ＷａをＵＶレジン１５を介してガラス基板１３に貼り付ける。その際、ガラス基板１３のウエハ接着面には剥離層１３ａが形成されている。
【００４８】
その後、ステップＳ１２に示す裏面研磨を行う。すなわち、ガラス基板１３によって保持された半導体ウエハ１Ｗの裏面１Ｗｂを所定量研磨して半導体ウエハ１Ｗの薄型化を図る。
【００４９】
その後、図５のステップＳ１３に示すダイシング用レーザ照射を行う。すなわち、半導体ウエハ１Ｗのスクライブエリア１Ｗｅにレーザ７を照射し、レーザ７によって半導体ウエハ１Ｗをダイシングする。ここでは、半導体ウエハ１Ｗの裏面１Ｗｂ側から半導体ウエハ１Ｗのスクライブエリア１Ｗｅにレーザ７を照射する。その際、格子状に形成されたスクライブエリア１Ｗｅにレーザ７を照射することにより、図８に示すように半導体ウエハ１Ｗの内部に格子状に破砕層１Ｗｄが形成される。なお、破砕層１Ｗｄは、例えば、２〜３μｍ程度の幅で形成される。
【００５０】
その後、ステップＳ１４に示すウエハマウントを行う。すなわち、ダイシングテープ５上に接着層を介して半導体ウエハ１Ｗを搭載する。ここでは、ダイシングテープ５の第２テープ５ｂの開口部５ｃに配置されたＤＡＦ４に、半導体ウエハ１Ｗの裏面１Ｗｂを貼り付ける。
【００５１】
本実施の形態１のダイシングテープ５は伸び易い第１テープ５ａと、伸びにくい第２テープ５ｂとからなる２層構造であるため、半導体ウエハ１Ｗが接合しているテープ領域は伸び易く、その外側周囲は伸びにくいテープ領域となる。
【００５２】
その後、図６のステップＳ１５に示すＵＶレジン剥離用レーザ照射を行う。ここでは、ガラス基板１３の上方からレーザスキャン１４を行ってＵＶレジン１５を硬化させる。
【００５３】
その後、ステップＳ１６に示すガラス基板剥離を行う。ここでは、硬化したＵＶレジン１５からガラス基板１３を剥離して半導体ウエハ１Ｗからガラス基板１３を取り除く。
【００５４】
その後、ステップＳ１７に示すＵＶレジン剥離を行う。ここでは、硬化されたＵＶレジン１５を半導体ウエハ１Ｗの主面１Ｗａから剥離する。
【００５５】
本実施の形態１では、半導体ウエハ１Ｗをガラス基板１３に貼り付けて裏面研磨、レーザ照射及びウエハマウントを行う場合について説明したが、ガラス基板１３の代わりに裏面研磨用テープを貼り付け、この状態で裏面研磨、レーザ照射及びウエハマウントを行ってもよい。その場合、ステップＳ１７で裏面研磨用テープを剥離する。
【００５６】
その後、図７のステップＳ１８に示すエキスパンドを行う。すなわち、ダイシングテープ５を外周から引き伸ばしてチップ間隔を広げる。
【００５７】
エキスパンド工程では、図７及び図１０に示すように、まず、半導体ウエハ１Ｗが接合されたダイシングテープ５をピックアップ装置１０の支持リング１１上に水平に位置決めし、ダイシングテープ５の周縁部に接合されたリング状治具６をエキスパンドリング１２で保持する。なお、図７のステップＳ１９に示すように、支持リング１１の内側には半導体チップ１Ｃを上方に突き上げるための突き上げ駒１６が配置されている。
【００５８】
次に、ピックアップ装置１０のエキスパンドリング１２を下降させることによって、図７のステップＳ１８に示すように、ダイシングテープ５の周縁部に接合されたリング状治具６を下方に押し下げる。リング状治具６が押し下げられると、ダイシングテープ５が、その中心部から周辺部（外周部）に向かう強い張力を受けて水平方向に弛みなく引き伸ばされる。この張力により、半導体ウエハ１Ｗのスクライブエリア１Ｗｅに形成された破砕層１Ｗｄに沿って図１０に示すチップ領域２が互いに分離する結果、図７のステップＳ１８に示すように、個片化された複数の半導体チップ１Ｃが得られる。
【００５９】
この時、半導体ウエハ１Ｗの裏面１ＷｂのＤＡＦ４もダイシングテープ５とともに引き伸ばされ、チップ単位で分離されるため、個片化された半導体チップ１Ｃの裏面には、半導体チップ１Ｃと同サイズのＤＡＦ４が残る。
【００６０】
なお、図７において、領域（Ｄ）は、エキスパンドによって伸びる部分であり、一方、領域（Ｅ）は、エキスパンドによって伸びにくい部分を示している。
【００６１】
本実施の形態１では、エキスパンドの際、ダイシングテープ５の半導体ウエハ１Ｗの外側周囲に伸びにくい第２テープ５ｂが配置された状態でダイシングテープ５を外周から引き伸ばすため、ダイシングテープ５を引き伸ばす力を、半導体ウエハ１Ｗが搭載された第１テープ５ａの領域に確実に伝えることができる。さらに、半導体ウエハ１Ｗの下部が伸び易い第１テープ５ａの領域であるため、図７のステップＳ１８に示すように各チップ形成領域（各チップ領域２）の間隔を十分に広げることができる。
【００６２】
すなわち、ダイシングテープ５が外周から引き伸ばされた際に、半導体ウエハ１Ｗの外側周囲に伸びにくい第２テープ５ｂが配置されているため、リング状治具６と半導体ウエハ１Ｗの間のテープ領域が先に伸びてしまうことを防げ、エキスパンド量を増加させることなくダイシングテープ５を引き伸ばす力を半導体ウエハ１Ｗが搭載された第１テープ５ａの領域に確実に伝えることができる。
【００６３】
これにより、エキスパンド量を増加しすぎた場合には、ピックアップ装置１０からダイシングテープ５を取り外した際にダイシングテープ５が元に戻らず半導体チップ１Ｃの破損に至ることもあるが、本実施の形態１のエキスパンドではエキスパンド量を増加させることはないため、半導体チップ１Ｃが破損に至ることもない。
【００６４】
このように本実施の形態１のエキスパンドでは、レーザダイシングを行った際にも、図９に示すように、各チップ形成領域（各チップ領域２）の間隔を十分に広げることができる。
【００６５】
これにより、レーザダイシングを採用するに当たり、半導体ウエハ１Ｗのスクライブエリア１Ｗｅを０に近づけることができる。すなわち、レーザ７の照射によって形成される破砕層１Ｗｄは、その幅が２〜３μｍ程度であるため、半導体ウエハ１Ｗに数十μｍ〜数百μｍものスクライブエリアを設ける必要がなくなり、半導体ウエハ１Ｗにおける半導体チップ１Ｃの取得数の増加を図ることができる。
【００６６】
なお、エキスパンドは、常温の雰囲気で行うことが好ましい。つまり、熱を掛けてダイシングテープ５を引き伸ばすと、伸びきって戻らなくなることがあり、また、ダイシングテープ５を構成する第１テープ５ａや第２テープ５ｂは、ポリオレフィンやポリエチレンテレフタレート等によって形成されているため、耐熱性が１００℃以下と低い。したがって、常温の雰囲気、または冷却環境下（-２０℃〜室温）でエキスパンドを行うことにより、ダイシングテープ５の機能を損なわずに引き伸ばすことができる。
【００６７】
次に、図７のステップＳ１９に示すピックアップを行う。すなわち、個片化された半導体チップ１Ｃをダイシングテープ５上からピックアップする。ここでは、まず、１個の半導体チップ１Ｃの下方に突き上げ駒１６を配置するとともに、ピックアップ用の吸着保持可能なコレット１９を半導体チップ１Ｃの上方に配置して密着させる。続いて、ダイシングテープ５に紫外線を照射し、ダイシングテープ５に塗布された粘着剤を硬化させる。これにより、ＤＡＦ４をダイシングテープ５から容易に剥離させることができる。
【００６８】
その後、突き上げ駒１６によって半導体チップ１Ｃを上方に突き上げるとともに、コレット１９を上方に移動させ、半導体チップ１Ｃ及びＤＡＦ４をダイシングテープ５から剥離する。
【００６９】
このようにして、ダイシングテープ５から剥離されてピックアップされた半導体チップ１Ｃは、コレット１９に吸着・保持されて次工程（ペレット付け工程）に搬送され、図１１に示すように配線基板１７上に実装される。
【００７０】
なお、本実施の形態１では、エキスパンドによって、各チップ形成領域（各チップ領域２）の間隔を十分に広げることができるため、ダイボンディング時の半導体チップ１Ｃをピックアップする際の隣り合ったチップ同士の干渉を低減することができる。その結果、チップクラック等の不良に対するマージンを増やすことができ、ＣＳＰ２４（半導体装置）の信頼性の向上を図ることができる。
【００７１】
また、信頼性に厳しい半導体チップ１Ｃをピックアップする際に、表面接触タイプの平コレットを使用できない場合であっても、本実施の形態１のエキスパンドによって各チップ形成領域（各チップ領域２）の間隔を十分に広げることができるため、角錐タイプのコレット１９の使用が可能になり、信頼性に厳しい半導体チップ１Ｃをピックアップすることができる。
【００７２】
次に、ピックアップされた半導体チップ１Ｃを、図１１及び図１２に示すように、配線基板１７の主面上に実装されている半導体チップ１８Ｃの主面上に移送する。なお、半導体チップ１８Ｃは、配線基板１７の主面上に接着層２０ａを介して１段目のチップとして搭載されている。
【００７３】
続いて、半導体チップ１Ｃの裏面の接着層８ａと半導体チップ１８Ｃの主面とを対向させた状態で半導体チップ１Ｃを下降しチップ１８Ｃの主面上に載せる。ここで、接着層８ａは、本実施の形態１ではＤＡＦ４である。すなわち、接着層８ａ（ＤＡＦ４）を介して半導体チップ１Ｃを半導体チップ１８Ｃ上に積み重ねる（積層する）。なお、チップの積層数は２段に限らず何段であってもよい。
【００７４】
ここで、配線基板１７及び半導体チップ１８Ｃの構成と実装方法の一例を説明する。配線基板１７は、例えば多層配線構成を有するプリント配線基板からなり、厚さ方向に沿って互いに反対側になる主面および裏面を有している。配線基板１７の主面には半導体チップ１８Ｃが実装されている。また、配線基板１７の主面には、半導体チップ１８Ｃの外周を取り囲むように複数の電極１７ａが配置されている。また、配線基板１７の裏面には、複数の電極１７ｂが配置されている。配線基板１７の主面の電極１７ａと裏面の電極１７ｂとは配線基板１７の内層の配線を通じて電気的に接続されている。配線基板１７の電極１７ａ，１７ｂおよび配線は、例えば銅からなる。電極１７ａ，１７ｂの露出表面にはニッケル（Ｎｉ）下地の金（Ａｕ）メッキが施されている。
【００７５】
半導体チップ１８Ｃの構成について説明すると、半導体チップ１８Ｃの半導体基板１８Ｓは、半導体チップ１Ｃの半導体基板１Ｓと同様に、例えばシリコン（Ｓｉ）単結晶からなり、その主面には素子および配線層１８Ｌが形成されている。配線層１８Ｌの構成は、半導体チップ１Ｃの配線層１Ｌと同じであり、最上層には、パッド１８ＬＢが配置されている。半導体チップ１８Ｃは、その主面を上に向け、かつ、その裏面が接着層２０ａにより配線基板１７の主面に固着された状態で配線基板１７の主面上に実装されている。接着層２０ａは、例えばポリイミド樹脂のような熱可塑性樹脂により形成されている。
【００７６】
なお、接着層２０ａの材料としてＤＡＦ４を使用しても良い。すなわち、１段目の半導体チップ１８Ｃと２段目の半導体チップ１Ｃの両者ともＤＡＦ４を介して実装してもよい。
【００７７】
次に、図１３に示すように、２段目の半導体チップ１Ｃのパッド１ＬＢと１段目の半導体チップ１８Ｃのパッド１８ＬＢとを導電性のワイヤ２１により接続するとともに、１段目の半導体チップ１８Ｃのパッド１８ＬＢと配線基板１７の電極１７ａとをワイヤ２１により接続する。２段目の半導体チップ１Ｃのパッド１ＬＢと配線基板１７の電極１７ａとをワイヤ２１により接続しても良い。ワイヤ２１は、例えば金（Ａｕ）により形成されている。
【００７８】
その後、図１４に示すように、半導体チップ１Ｃ，１８Ｃ及び複数のワイヤ２１等を樹脂封止する。例えばトランスファモールド法を用いてエポキシ系樹脂等から封止体２２を形成し、この封止体２２により封止する。さらに、電極１７ｂ上に外部端子としてはんだボール２３を形成する。はんだボール２３は、例えば鉛（Ｐｂ）−錫（Ｓｎ）の鉛半田材、または、例えば錫（Ｓｎ）−銀（Ａｇ）−銅（Ｃｕ）系の鉛フリー半田材から成る。以上のようにしてＣＳＰ２４（半導体装置）を製造する。
【００７９】
（実施の形態２）
図１５は本発明の実施の形態２の半導体装置の製造方法で用いられるダイシングテープの形成方法の一例を示す製造プロセスフロー図、図１６は図１５に示すダイシングテープに治具を貼り付けた構造及びウエハマウントを行った構造の一例を示す断面図である。さらに、図１７は図１６に示す治具付きダイシングテープの構造の一例を示す平面図、図１８は本実施の形態２の半導体装置の製造方法におけるエキスパンド方法とピックアップ方法の一例を示す断面図である。
【００８０】
本実施の形態２では、図１５及び図１６に示すように、第１テープ５ａと第２テープ５ｂの２層構造からなるダイシングテープ５の第２テープ５ｂの半導体ウエハ１Ｗの搭載領域に複数の切れ目５ｅが形成されている。すなわち、第２テープ５ｂに、実施の形態１の図１に示すような開口部５ｃは形成されておらず、その代わりとして第２テープ５ｂの半導体ウエハ１Ｗの搭載領域に複数の切れ目５ｅが形成されている。
【００８１】
第２テープ５ｂの半導体ウエハ１Ｗの搭載領域に複数の切れ目５ｅが形成されていることにより、第２テープ５ｂのこの領域に外周から引っ張る力がかかった際に、切れ目５ｅが裂けて伸び易い状態となる。ただし、半導体ウエハ１Ｗの搭載領域の外側の領域には切れ目５ｅは形成されていない。したがって、第２テープ５ｂの半導体ウエハ１Ｗの搭載領域の外側の領域は、伸びにくい領域となる。
【００８２】
なお、第１テープ５ａおよび第２テープ５ｂそれぞれの材質や伸張率は、実施の形態１のものと同様である。すなわち、第１テープ５ａは、伸縮性が高くて伸び易いテープであり（例えば、ポリオレフィン等）、一方、第２テープ５ｂは、伸縮性が低くて伸びにくいテープである（例えば、ポリエチレンテレフタレート等）。
【００８３】
したがって、半導体ウエハ１Ｗを複数の切れ目５ｅが形成された第２テープ５ｂ上に接合することにより、半導体ウエハ１Ｗの下部が伸び易い状態の領域であり、かつその外側周囲が伸びにくい状態の領域となっているため、エキスパンドの際に、ダイシングテープ５を引き伸ばす力を、半導体ウエハ１Ｗが搭載された第２テープ５ｂの領域に確実に伝えることができ、実施の形態１と同様の効果を得ることができる。
【００８４】
なお、複数の切れ目５ｅは、半導体ウエハ１Ｗのスクライブエリア１Ｗｅ（図５参照）に対応させて、図１７に示すように、格子状に形成されていることが好ましく、さらには、より細かな格子状に形成されていることが好ましい。すなわち、複数の切れ目５ｅがより細かな格子状に形成されていることで、本実施の形態２のダイシングテープ５を種々の大きさの半導体チップ１Ｃに対して採用することが可能になる。
【００８５】
ここで、本実施の形態２のダイシングテープ５の製造方法について説明する。
【００８６】
まず、図１５のステップＳ２１に示すＤＡＦ材準備を行う。ここでは、基材３にＤＡＦ４が貼り付けられたＤＡＦ材を準備する。
【００８７】
その後、ステップＳ２２に示す第１／第２テープ貼り合わせを行う。すなわち、伸縮性が高くて伸び易い第１の伸張率の第１テープ５ａと、伸縮性が低くて伸びにくい第２の伸張率の第２テープ５ｂを準備し、第１テープ５ａの上に、表裏両面に接着剤５ｄが設けられた第２テープ５ｂを接着剤５ｄを介して貼り付ける。これにより、第２テープ５ｂの表面には接着剤５ｄが露出した状態となる。
【００８８】
その後、第２テープ５ｂの半導体チップ１Ｃの搭載領域に、図１７に示すように、複数の切れ目５ｅを格子状に形成する。ここでは、例えば、ロール等を転写させて切れ目５ｅを形成する。なお、予め複数の切れ目５ｅが形成された第２テープ５ｂを準備し、その後、第１テープ５ａと第２テープ５ｂを貼り合わせてもよい。
【００８９】
その後、ステップＳ２３に示すＤＡＦ材貼り付けを行う。ここでは、基材３に貼り付けられたＤＡＦ４を第２テープ５ｂの半導体ウエハ１Ｗの搭載領域上に貼り付ける。
【００９０】
その後、ステップＳ２４に示す基材除去を行う。ここでは、第２テープ５ｂ上に貼り付けられたＤＡＦ４から基材３を剥がしてダイシングテープ５の製造を完了する。
【００９１】
次に、本実施の形態２の半導体装置の製造方法について説明する。ここでは、レーザダイシング後の半導体ウエハ１Ｗのダイシングテープ５へのマウント工程、エキスパンド工程及びピックアップ工程について説明する。その他の工程の説明については実施の形態１の半導体装置の製造方法と同様であるため省略する。
【００９２】
まず、図１６のステップＳ２５に示すダイシングテープ５へのリング状治具６の貼り付けである治具貼り付けを行う。ここでは、リング状治具６をダイシングテープ５の第２テープ５ｂ上に接着剤５ｄを介して貼り付ける。リング状治具６は、図１７に示すように、第２テープ５ｂの周縁部に沿った形状に形成されている。
【００９３】
その後、ステップＳ２６に示すウエハマウントを行う。すなわち、レーザダイシングによって破砕層１Ｗｄが形成された半導体ウエハ１Ｗを、ダイシングテープ５の第２テープ５ｂ上のＤＡＦ４に貼り付ける。
【００９４】
その後、図１８のステップＳ２７に示すエキスパンドを行う。エキスパンド工程では、実施の形態１と同様に、図１０に示すピックアップ装置１０のエキスパンドリング１２を下降させることによって、図１８のステップＳ２７に示すように、ダイシングテープ５の周縁部に接合されたリング状治具６を下方に押し下げる。リング状治具６が押し下げられると、ダイシングテープ５が、その中心部から周辺部に向かう強い張力を受けて水平方向に弛みなく引き伸ばされる。この張力により、半導体ウエハ１Ｗのスクライブエリア１Ｗｅに形成された破砕層１Ｗｄに沿って図１０に示すチップ領域２が互いに分離する結果、個片化された複数の半導体チップ１Ｃを得ることができる。
【００９５】
本実施の形態２においても、実施の形態１と同様に、エキスパンドの際、第２テープ５ｂの半導体ウエハ１Ｗの下部の複数の切れ目５ｅによりそのテープ領域が伸び易い状態であり、かつその外側周囲が切れ目５ｅの無い伸びにくい状態でダイシングテープ５を外周から引き伸ばすため、ダイシングテープ５を引き伸ばす力を、半導体ウエハ１Ｗが搭載された第２テープ５ｂの領域に確実に伝えることができる。さらに、ダイシングテープ５が引き伸ばされた際に、第２テープ５ｂの半導体ウエハ１Ｗの下部の領域では、複数の格子状の切れ目５ｅが裂けるとともに、第２テープ５ｂの下部には伸び易い第１テープ５ａが配置されているため、各チップ形成領域の間隔を十分に広げることができる。
【００９６】
次に、図１８のステップＳ２８に示すピックアップを行う。すなわち、個片化された半導体チップ１Ｃをダイシングテープ５上からピックアップする。ここでは、まず、１個の半導体チップ１Ｃの下方に突き上げ駒１６を配置するとともに、ピックアップ用の吸着保持可能なコレット１９を半導体チップ１Ｃの上方に配置して密着させる。続いて、ダイシングテープ５に紫外線を照射し、ダイシングテープ５に塗布された粘着剤を硬化させる。これにより、ＤＡＦ４をダイシングテープ５から容易に剥離させることができる。
【００９７】
その後、突き上げ駒１６によって半導体チップ１Ｃを上方に突き上げるとともに、コレット１９を上方に移動させ、半導体チップ１Ｃ及びＤＡＦ４をダイシングテープ５から剥離する。
【００９８】
このようにして、ダイシングテープ５から剥離されてピックアップされた半導体チップ１Ｃは、コレット１９に吸着・保持されて次工程（ペレット付け工程）に搬送され、図１１に示すように配線基板１７上に実装される。
【００９９】
本実施の形態２の半導体装置の製造方法においても、エキスパンドの際に、外周からダイシングテープ５を引き伸ばす力を、半導体ウエハ１Ｗが搭載された第２テープ５ｂの領域に確実に伝えることができ、さらに第２テープ５ｂの複数の切れ目５ｅが裂けるとともに、第２テープ５ｂの下部には伸び易い第１テープ５ａが配置されているため、各チップ形成領域の間隔を十分に広げることができる。これにより、ダイボンディング時の半導体チップ１Ｃをピックアップする際の隣り合ったチップ同士の干渉を低減することができる。その結果、チップクラック等の不良に対するマージンを増やすことができ、ＣＳＰ２４（半導体装置）の信頼性の向上を図ることができる。
【０１００】
本実施の形態２の半導体装置の製造方法によって得られるその他の効果については、実施の形態１の効果と同様であるためその重複説明は省略する。
【０１０１】
以上、本発明者によってなされた発明を発明の実施の形態に基づき具体的に説明したが、本発明は前記発明の実施の形態に限定されるものではなく、その要旨を逸脱しない範囲で種々変更可能であることは言うまでもない。
【０１０２】
例えば、前記実施の形態１，２では、ダイシングテープ５上にＤＡＦ４を貼り付け、その後、ＤＡＦ４上に半導体ウエハ１Ｗをマウントする場合を説明したが、予めＤＡＦ４を半導体ウエハ１Ｗの裏面１Ｗｂに貼り付けておき、ダイシング用のレーザ照射を行った後、ダイシングテープ５上にＤＡＦ４付きの半導体ウエハ１Ｗをマウントしてもよい。
【０１０３】
また、前記実施の形態１では、ダイシングテープ５を形成する際に、第１テープ５ａと第２テープ５ｂを予め貼り付けておき、その後、ＤＡＦ４を貼り付ける場合を説明したが、図１９の変形例に示すように、第１テープ５ａ上に先にＤＡＦ４を貼り付けてもよい。すなわち、第１テープ５ａ上に先にＤＡＦ４を貼り付け（ステップＳ３１）、その後、ステップＳ３２の第２テープ貼り付けに示すように、開口部５ｃが形成された第２テープ５ｂをＤＡＦ４の外周を覆うように上から貼り付け、その後、ステップＳ３３の治具貼り付けに示すようにリング状治具６を貼り付けてもよい。
【０１０４】
この場合、ＤＡＦ４の大きさや貼り付け位置の精度を高める必要がなく、比較的容易にダイシングテープ５を形成することができる。
【産業上の利用可能性】
【０１０５】
本発明は、ダイシングテープを用いた半導体製造技術に好適である。
【図面の簡単な説明】
【０１０６】
【図１】本発明の実施の形態１の半導体装置の製造方法で用いられるダイシングテープの形成方法の一例を示す製造プロセスフロー図である。
【図２】図１に示すダイシングテープに治具を貼り付けた構造の一例を示す断面図である。
【図３】図２に示す治具付きダイシングテープの構造の一例を示す平面図である。
【図４】本発明の実施の形態１の半導体装置の製造方法における裏面研磨までの組み立ての一例を示す断面図である。
【図５】本発明の実施の形態１の半導体装置の製造方法におけるウエハマウントまでの一例を示す断面図である。
【図６】本発明の実施の形態１の半導体装置の製造方法における保護テープ剥離までの一例を示す断面図である。
【図７】本発明の実施の形態１の半導体装置の製造方法におけるピックアップまでの一例を示す断面図である。
【図８】本発明の実施の形態１の半導体装置の製造方法におけるレーザダイシング後の構造の一例を示す平面図である。
【図９】本発明の実施の形態１の半導体装置の製造方法におけるエキスパンド後の構造の一例を示す平面図である。
【図１０】本発明の実施の形態１の半導体装置の製造方法で用いられるピックアップ装置の構造の一例を示す斜視図である。
【図１１】本発明の実施の形態１の半導体装置の製造方法におけるダイボンディング方法の一例を示す斜視図である。
【図１２】本発明の実施の形態１の半導体装置の製造方法における２段目チップのダイボンディング方法の一例を示す断面図である。
【図１３】本発明の実施の形態１の半導体装置の製造方法におけるワイヤボンディング後の構造の一例を示す断面図である。
【図１４】本発明の実施の形態１の半導体装置の製造方法における樹脂封止及びバンプ形成後の構造の一例を示す断面図である。
【図１５】本発明の実施の形態２の半導体装置の製造方法で用いられるダイシングテープの形成方法の一例を示す製造プロセスフロー図である。
【図１６】図１５に示すダイシングテープに治具を貼り付けた構造及びウエハマウントを行った構造の一例を示す断面図である。
【図１７】図１６に示す治具付きダイシングテープの構造の一例を示す平面図である。
【図１８】本発明の実施の形態２の半導体装置の製造方法におけるエキスパンド方法とピックアップ方法の一例を示す断面図である。
【図１９】本発明の変形例のダイシングテープの形成方法を示す製造プロセスフロー図である。
【符号の説明】
【０１０７】
１Ｗ  半導体ウエハ
１Ｗａ  主面
１Ｗｂ  裏面
１Ｗｄ  破砕層
１Ｗｅ  スクライブエリア
１Ｃ  半導体チップ
１Ｓ  半導体基板
１Ｌ  配線層
１ＬＢ  パッド（電極）
２  チップ領域
３  基材
４  ＤＡＦ（接着層）
５  ダイシングテープ
５ａ  第１テープ
５ｂ  第２テープ
５ｃ  開口部
５ｄ  接着剤
５ｅ  切れ目
６  リング状治具
６ａ  開口部
７  レーザ
８ａ  接着層
９  隙間
１０  ピックアップ装置
１１  支持リング
１２  エキスパンドリング
１３  ガラス基板
１３ａ  剥離層
１４  レーザスキャン
１５  ＵＶレジン
１６  突き上げ駒
１７  配線基板
１７ａ，１７ｂ  電極
１８Ｃ  半導体チップ
１８Ｓ  半導体基板
１８Ｌ  配線層
１８ＬＢ  パッド（電極）
１９  コレット
２０ａ  接着層
２１  ワイヤ
２２  封止体
２３  はんだボール
２４  ＣＳＰ（半導体装置）
【図１】
2007250598.tif 000003
【図２】
2007250598.tif 000004
【図３】
2007250598.tif 000005
【図４】
2007250598.tif 000006
【図５】
2007250598.tif 000007
【図６】
2007250598.tif 000008
【図７】
2007250598.tif 000009
【図８】
2007250598.tif 000010
【図９】
2007250598.tif 000011
【図１０】
2007250598.tif 000012
【図１１】
2007250598.tif 000013
【図１２】
2007250598.tif 000014
【図１３】
2007250598.tif 000015
【図１４】
2007250598.tif 000016
【図１５】
2007250598.tif 000017
【図１６】
2007250598.tif 000018
【図１７】
2007250598.tif 000019
【図１８】
2007250598.tif 000020
【図１９】
2007250598.tif 000021